(57)【要約】【課題】複数体の導電端子１３に対するケーブル中心導体１２ａの一括接続を低廉かつ高品質に行わせることを可能とする。【解決手段】長尺状半田材１４の余剰分１４ａを収容する半田溜り部１６を絶縁ハウジング１１に設け、導電端子１３とケーブル中心導体１２ａとの接続部位に対して過剰に供給された半田材１４ａを半田溜り部１６内に収容することにより、隣接する導電端子１３またはケーブル中心導体１２ａ側への余剰半田材１４ａの流動を防止するように構成し、隣接する導電端子１３またはケーブル中心導体１２ａどうしの間との短絡を防止してリワーク工程等の付加的工程を削減するように構成したもの。【選択図】      図４
2007305452.tif 000002
【特許請求の範囲】
【請求項１】
細長状の絶縁ハウジングの長手幅方向に沿って複数体の導電端子が適宜のピッチ間隔で配列されているとともに、
前記絶縁ハウジングの長手幅方向に沿って延在するように配置された長尺状半田材を用いて同軸ケーブル中心導体が前記各導電端子に対して一括接続された同軸ケーブル用電気コネクタにおいて、
前記長尺状半田材の余剰分を収容する半田溜り部が前記導電端子、もしくは導電端子周辺に設けられていることを特徴とする同軸ケーブル用電気コネクタ。
【請求項２】
前記半田溜り部は、少なくとも一つの前記導電端子に隣接して凹設された溝状をなすように形成されていることを特徴とする請求項１記載の同軸ケーブル用電気コネクタ。
【請求項３】
前記半田溜り部は、前記導電端子の側面を外方に露出させるように設けられていることを特徴とする請求項２記載の同軸ケーブル用電気コネクタ。
【請求項４】
前記絶縁ハウジングには、前記長尺状半田材を保持する半田材位置決め溝が前記長手幅方向に沿って延在するように凹設され、
前記半田溜り部は、前記半田材位置決め溝と略同一の深さで、かつ前記長手幅方向に略直交する方向に延在するように形成されていることを特徴とする請求項１ないし請求項３のいずれかに記載の同軸ケーブル用電気コネクタ。
【請求項５】
前記半田溜り部が、複数体の導電端子のうちの前記長手幅方向の両端位置に配置されていることを特徴とする請求項１に記載の同軸ケーブル用電気コネクタ。
【請求項６】
前記半田溜り部は、前記長手幅方向の両端位置に配置された導電端子に設けられていることを特徴とする請求項５に記載の同軸ケーブル用電気コネクタ。
【発明の詳細な説明】
【技術分野】
【０００１】
本発明は、複数体の導電端子に対して同軸ケーブル中心導体が長尺状半田材を介して一括接続された同軸ケーブル用電気コネクタに関する。
【背景技術】
【０００２】
従来より、電気コネクタに対して同軸ケーブルを一括接続することが行われている。例えば下記の特許文献１（特開２０００−７７１２３号公報）においては、細長状に形成された絶縁ハウジングの長手幅方向に沿って複数体の導電端子（コンタクト）が配列されているとともに、それらの各導電端子の配列方向である前記絶縁ハウジングの長手幅方向に沿って長尺状半田材（半田バー）が配置された後に、当該長尺状半田材がヒータヘッドにより加熱・溶融されることによって同軸ケーブル中心導体の一括接続が行われるようになっている。
【０００３】
このように複数の導電端子を一括接続するにあたっては、絶縁ハウジングに対してまず長尺状半田材（半田バー）をセットし、その上から同軸ケーブル中心導体をセットしてからヒータヘッドの加熱面を中心導体に接触させる場合の他に、絶縁ハウジング上に配列された導電端子の上に同軸ケーブル中心導体を並べておき、その上から長尺状半田材を載せてヒータヘッドを長尺状半田材に接触させる場合などがあり、それらのいずれの構造または方法によっても同軸ケーブル中心導体を一括接続させることが可能である。このような導電端子に対する一括接続の構造または方法によれば、導電端子に対する同軸ケーブル中心導体の半田付け作業が簡単化または容易化されるとともに、電気コネクタの接続信頼性を向上させることができるという利点がある。
【０００４】
しかしながら、前述した従来の電気コネクタでは、長尺状半田材（半田バー）のセット位置が長手方向にずれてしまった場合や、長尺状半田材を形成した際の長さが長尺状になり過ぎた場合には、例えば図６に示されているように、電気コネクタ１の長手幅方向（図６の左右方向）の両端位置に配置された導電端子に対して半田材２が過剰に供給されてしまうことがある。すなわち、両端位置に配置された導電端子（コンタクト）３と、同軸ケーブル中心導体４との接続部位に対する半田供給量が過剰になってしまうことによって、その半田材２の余剰分が、図示右方に隣接している導電端子５および同軸ケーブル中心導体６側に流動していき、双方の間に電気的な短絡が発生することがある。そして、そのような電気的短絡を生じた場合には、コネクタ本来の正常な電気的接続を行う機能は果たさないため、リワークなどの付加的工程が必要となる。
【０００５】
【特許文献１】特開２０００−７７１２３号公報
【発明の開示】
【発明が解決しようとする課題】
【０００６】
そこで本発明は、導電端子に対する同軸ケーブル中心導体の一括接続を確実に行い得るものとし、高品質かつ効率的に行わせることができるようにした同軸ケーブル用電気コネクタを提供することを目的とする。
【課題を解決するための手段】
【０００７】
上記目的を達成するため本発明にかかるケーブル用電気コネクタでは、細長状の絶縁ハウジングの長手幅方向に沿って複数体の導電端子が適宜のピッチ間隔で配列されているとともに、前記絶縁ハウジングの長手幅方向に沿って延在するように配置された長尺状半田材を用いて同軸ケーブル中心導体が前記各導電端子に対して一括接続された同軸ケーブル用電気コネクタにおいて、前記絶縁ハウジングには、前記長尺状半田材の余剰分を収容する半田溜り部が前記導電端子またはその周辺に設けられている。
【０００８】
このような構成を有するケーブル用電気コネクタによれば、導電端子とケーブル中心導体との接続部位に対する半田供給量が過剰になった場合であっても、その過剰となった余剰半田材が半田溜り部内に収容されることによって、隣接する導電端子またはケーブル中心導体側への流動が防止されるようになっている。
【発明の効果】
【０００９】
以上述べたように本発明にかかるケーブル用電気コネクタは、長尺状半田材の余剰分を収容する半田溜り部を絶縁ハウジングに設け、導電端子とケーブル中心導体との接続部位に対して過剰に供給された半田材を半田溜り部内に収容することにより、隣接する導電端子またはケーブル中心導体側への余剰半田材の流動を防止するように構成したものであるから、隣接する導電端子またはケーブル中心導体どうしの間との短絡を防止して、電気的接続を確実に行う。また、リワーク工程等の付加的工程を削減することができ、複数体の導電端子に対するケーブル中心導体の一括接続を低廉かつ高品質に行わせることができる。
【発明を実施するための最良の形態】
【００１０】
以下、同軸ケーブルが接続されるプラグコネクタに本発明を適用した実施形態を図面に基づいて詳細に説明する。
【００１１】
図１ないし図４に示されたプラグコネクタ１０は、細長状の絶縁部材から形成された絶縁ハウジング１１を備えており、その絶縁ハウジング１１の長手幅方向に沿って適宜のピッチ間隔で配置された複数箇所の端子保持部１１ａ，１１ａ，・・・には、複数体の導電端子（コンタクト）１３，１３，・・・がそれぞれ埋設されている。このようにして前記絶縁ハウジング１１の長手幅方向に沿って複数体の導電端子１３が適宜のピッチ間隔で配列されているとともに、それらの各導電端子１３に対して同軸ケーブル１２の端末部分が半田接続されている。
【００１２】
すなわち、上記同軸ケーブル１２の端末部分には、被覆材が皮剥きされることによってケーブル中心導体１２ａおよびケーブル外部導体１２ｂが露出されており、そのうちの軸心に沿って配置されたケーブル中心導体１２ａは、上述した各導電端子１３にそれぞれ半田接続されているとともに、そのケーブル中心導体１２ａの外周側を取り囲むように配置されたケーブル外部導体１２ｂは、一対のグランドバー１１ｂ，１１ｂにより上下に挟持されるようにして保持されている。
【００１３】
このとき、上述した各導電端子１３に対するケーブル中心導体１２ａの半田接続は、特に図１および図２に示されているような細長板状の半田バー（長尺状半田材）１４を用いて行われており、全ての導電端子１３に対してケーブル中心導体１２ａが一括接続されるように構成されている。すなわち、前記絶縁ハウジング１１の端子保持部１１ａおよび各導電端子１３には、前記半田バー１４を収容可能とする半田材位置決め溝１５が、前記絶縁ハウジング１１の長手幅方向のほぼ全長にわたって延在するように設けられていて、半田接続を行う際には、まずその半田材位置決め溝１５内に半田バー１４を装着して長手幅方向に延在するようにセットし、当該半田バー１４の上に前記ケーブル中心導体１２ａを載置するようにしてセットする。そして、上方位置に配置されたヒータヘッドＨＤを下降させ、その加熱面ＨＤ１を前記ケーブル中心導体１２ａ上に接触させる。これにより前記半田バー１４は全長にわたって溶融され、全ての導電端子１３に対してケーブル中心導体１２ａが一括接続されることとなる。
【００１４】
このとき、上述した絶縁ハウジング１１の端子保持部１１ａの長手幅方向における両端部分には、前記半田バー（長尺状半田材）１４の余剰分を収容する半田溜り部１６が凹溝状をなすようにして形成されている。この半田溜り部１６は、上述した複数体の導電端子１３のうちの長手幅方向両端に位置する両端導電端子１３ａ，１３ａの外側にそれぞれ隣接するように配置されている。これらの各半田溜り部１６は、上述した半田材位置決め溝１５と略直交する方向に交差する配置関係になされていて、その半田材位置決め溝１５と略同一の深さに形成されているが、深さについては半田材位置決め溝１５より浅くても深くても良い。
【００１５】
そして、そのような半田溜り部１６が設けられていることによって、前記各両端導電端子１３ａ，１３ａの長手幅方向における外側面は、外方に向かって露出する導体露出面１３ｂになされており、上述した半田バー（長尺状半田材）１４が過剰に溶融されたときの余剰半田材１４ａは、上述した半田溜り部１６内に貯留されるとともに、上記各両端導電端子１３ａの導体露出面１３ｂに付着されるようになっている。
【００１６】
すなわち、上述した実施形態によれば、半田バー（長尺状半田材）１４のセット位置が長手方向にずれてしまったり、半田バー１４を形成した際の長さが長尺状になり過ぎたことなどの原因によって、前記各両端導電端子１３ａ，１３ａとケーブル中心導体１２ａとの接続部に対する半田供給量が過剰になった際には、その過剰となった余剰半田材１４ａが半田溜り部１６内に円滑に収容されることとなり、隣接する導電端子１３またはケーブル中心導体１２ａ側への余剰半田材１４ａの流動が良好に防止され、それによって従来生じていた電気的な短絡現象が回避されるようになっている。
【００１７】
また、上述した実施形態と同一の構成物に対して同一の符号を付した図５にかかる他の実施形態においては、各両端導電端子１３ａ，１３ａ自体に半田溜り部１７が設けられている。このような他の実施形態においても上述した実施形態とほぼ同様な作用・効果が奏せられる。
【００１８】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００１９】
例えば、上述した実施形態においては、長尺状半田材として細長板状の半田材を用いているが、棒状または糸状の半田材などのような他の半田材を用いることができることは当然である。また、そのような長尺状半田材をケーブル中心導体の上にセットし、ヒータヘッドを長尺状半田材に接触させる場合であっても本発明は同様に適用することができる。
【００２０】
さらに、上述した実施形態は、プラグコネクタに本発明を適用したものであるが、本発明はそれに限定されることなく、レセプタクルコネクタなどの他の電気コネクタに対しても同様に適用することができるものである。
【００２１】
さらにまた本発明は、同軸ケーブルと絶縁ケーブルとが、複数混合したタイプの電気コネクタについても同様に適用することが可能である。
【産業上の利用可能性】
【００２２】
本発明は、各種電気機器に使用される多種多様なケーブル用電気コネクタに対して広く適用することが可能である。
【図面の簡単な説明】
【００２３】
【図１】本発明の一実施形態にかかる同軸ケーブル用電気コネクタの一括接続をヒータヘッドを用いて行う直前の状態を表した外観斜視説明図である。
【図２】図１中のＡ部を拡大して表した外観斜視説明図である。
【図３】図１中のＢ−Ｂ線に沿った拡大断面図である。
【図４】半田接続後の状態における図３中のＣ−Ｃ線に沿った半田接続部の拡大断面図である。
【図５】本発明の他の実施形態における図４相当の拡大断面図である。
【図６】従来品の電気コネクタ（プラグコネクタ）における半田接続部の拡大断面図である。
【符号の説明】
【００２４】
１０  ：プラグコネクタ
１１  ：絶縁ハウジング
１１ａ：端子保持部
１１ｂ：グランドバー
１２  ：同軸ケーブル
１２ａ：ケーブル中心導体
１２ｂ：ケーブル外部導体
１３  ：導電端子（コンタクト）
１３ａ：両端導電端子
１３ｂ：導体露出面
１４  ：半田バー（長尺状半田材）
１４ａ：余剰半田材
１５  ：半田材位置決め溝
１６  ：半田溜り部
１７  ：半田溜り部
ＨＤ  ：ヒータヘッド
ＨＤ１：加熱面
【図１】
2007305452.tif 000003
【図２】
2007305452.tif 000004
【図３】
2007305452.tif 000005
【図４】
2007305452.tif 000006
【図５】
2007305452.tif 000007
【図６】
2007305452.tif 000008